(57)【要約】【課題】  本発明は、交通機関における非接触式自動改札機と無線交信して改札処理を行う非接触式カードを衣服又はリストバンドに着脱可能に装着したまま改札処理を行うので、非接触式カードを取出して手に持たなければならないという煩わしさがなく、また非接触式カードの紛失を防止することのできる利便性の高い非接触式カードを装着した衣服又はリストバンドを提供する。【解決手段】  非接触式カード装着部１３を備え非接触式カード４０を装着可能にした衣服１０、又は非接触式カード装着部１６を備え非接触式カード４０を装着可能にしたリストバンド１５。【選択図】        図１
2005200812.tif 000002
【特許請求の範囲】
【請求項１】
交通機関における非接触式自動改札機と無線交信して改札処理を行う非接触式カードを衣服に着脱可能に装着したことを特徴とする非接触式カードを装着可能にした衣服。
【請求項２】
前記非接触式カードを前期衣服の上着に装着可能にしたことを特徴とする請求項１に記載の非接触式カードを装着可能にした衣服。
【請求項３】
前記非接触式カードを前期衣服の上着右前腕部に装着可能にしたことを特徴とする請求項１に記載の非接触式カードを装着可能にした衣服。
【請求項４】
交通機関における非接触式自動改札機と無線交信して改札処理を行う非接触式カードをリストバンドに着脱可能に装着したことを特徴とする非接触式カードを装着可能にしたリストバンド。
【発明の詳細な説明】
【発明の詳細な説明】
【技術分野】
【０００１】  本発明は、非接触式カードを装着可能にした衣服又はリストバンドに係り、特に改札を入出する際に非接触式カードを衣服又はリストバンドに装着したまま改札処理を行うので、非接触式カードを取出して手に持たなければならないという煩わしさがなく、また非接触式カードの紛失を防止することのできる非接触式カードを装着可能にした衣服又はリストバンドに関する。
【背景技術】
【０００２】  従来より、例えば特開平１−２４６６８７号公報に記載されるように、定期券を無線通信機能を備えたＩＣ（Ｉｎｔｅｇｒａｔｅｄ  Ｃｉｒｃｕｉｔ）カードからなる非接触式カードとし、非接触式カードと改札に備えられた非接触式自動改札機との間で改札処理に必要なデータの無線交信を行い、非接触で入出処理をする自動改札機は知られている。【０００３】  利用者は非接触式カードを非接触式自動改札機のアンテナ部にかざすか、または非接触式カードを非接触式自動改札機のアンテナ部に当接させるタッチアンドゴー方式で改札を通過することができ、従来の磁気カードからなる定期券を自動改札機に挿入する方式に比べ便利になるという特徴がある。
【発明が解決しようとする課題】
【０００４】  しかしながら、従来の非接触式カードと非接触式自動改札機とからなる自動改札には、利用者が改札の入出時に非接触式カードを非接触式自動改札機のアンテナ部にかざすか、またはアンテナ部に当接させるために、非接触式カードを取出して手に持たなければならないという煩わしさがある。
【０００５】  また、従来の非接触式カードと非接触式自動改札機とからなる自動改札には、利用者が改札の入出時に非接触式カードを非接触式自動改札機のアンテナ部にかざすか、またはアンテナ部に当接させるために非接触式カードを取出して手に持つという煩わしさがあり利用者に負担をかけ、また非接触式カードを容易に取出し可能な状態で携帯するので、紛失しやすいという課題がある。
【０００６】  本発明は、上記した課題を解決するためになされたものであって、第１の目的は、改札を入出する際に非接触式カードを衣服又はリストバンドに装着したまま改札処理を行うので、非接触式カードを取出して手に持たなければならないという煩わしさを取除くことのできる非接触式カードを装着可能にした衣服又はリストバンドを提供することにある。
【０００７】  また、第２の目的は、改札を入出する際に非接触式カードを衣服又はリストバンドに装着したまま改札処理を行うことができ、非接触式カードを取出す必要がないので、非接触式カードの紛失を防止することのできる非接触式カードを装着可能にした衣服又はリストバンドを提供することにある。
【課題を解決するための手段】
【０００８】  上記課題を解決するために本発明に係る非接触式カードを装着可能にした衣服は、交通機関における非接触式自動改札機と無線交信して改札処理を行う非接触式カードを衣服に着脱可能に装着したことを特徴とする。
【０００９】  本発明に係る非接触式カードを装着可能にした衣服は、非接触式自動改札機と無線交信して改札処理を行う非接触式カードを衣服に着脱可能に装着できる様にしたので、改札を入出する際に非接触式カードを衣服に装着したまま改札処理を行うことができ、また非接触式カードを取出して手に持たなければならないという煩わしさを取除くことができ、さらに非接触式カードの紛失を防止することができる。
【００１０】  また、本発明に係る非接触式カードを装着可能にした衣服は、非接触式カードを上着に装着したことを特徴とする。
【００１１】  本発明に係る非接触式カードを装着可能にした衣服は、非接触式カードを上着に装着できる様にしたので、非接触式カードを取出して手に持たなければならないという煩わしさを取除くことができ、また非接触式カードの紛失を防止することができる。
【００１２】  さらに、本発明に係る非接触式カードを装着可能にした衣服は、非接触式カードを上着右前腕部に装着したことを特徴とする。
【００１３】  本発明に係る非接触式カードを装着可能にした衣服は、非接触式カードを上着右前腕部に装着したので、改札を入出する際に非接触式カードを衣服に装着したまま非接触式カードを非接触式自動改札機のアンテナ部にかざすか、または非接触式カードを非接触式自動改札機のアンテナ部に当接させるタッチアンドゴー方式で改札処理を行うことができ、改札を入出する際に非接触式カードを衣服に装着したまま改札処理を行うことができ、また非接触式カードを取出して手に持たなければならないという煩わしさを取除くことができ、さらに非接触式カードの紛失を防止することができる。
【００１４】  また、本発明に係る非接触式カードを装着可能にしたリストバンドは、交通機関における非接触式自動改札機と無線交信して改札処理を行う非接触式カードをリストバンドに着脱可能に装着したことを特徴とする。
【００１５】  本発明に係る非接触式カードを装着可能にしたリストバンドは、非接触式自動改札機と無線交信して改札処理を行う非接触式カードをリストバンドに着脱可能に装着できる様にしたので、改札を入出する際に非接触式カードをリストバンドに装着したまま改札処理を行うことができ、また非接触式カードを取出して手に持たなければならないという煩わしさを取除くことができ、さらに非接触式カードの紛失を防止することができる。
【発明を実施するための最良の形態】
【００１６】  本発明の実施の形態を添付図面に基づいて以下に説明する。
図１は本発明に係る非接触式カードを装着可能にした衣服（上着右前腕部）と非接触式カードを装着可能にしたリストバンドの実施形態の模式図である。
図１において、非接触式カードを装着可能にした衣服１０は上着右前腕部１２に非接触式カード装着部（非接触式カード装着手段）１３を備えている。【００１７】  非接触式カード装着部１３は上着右前腕部１２の内側、または外側に設けたポケットであり、非接触式カード装着部上部１４に非接触式カード４０（図３参照）の挿入口を設け、非接触式カード装着部１３に非接触式カード４０を収納する。
また非接触式カード装着部上部１４の挿入口には、非接触式カード４０が抜け落ちない様に開閉自在な構造（図示しない）になっている。
上着右前腕部１２に設けた非接触式カード装着部１３は、利用者の右手首部の内側、或いは外側、または小指側にあってもよい。【００１８】  図１において、非接触式カードを装着可能にしたリストバンド１５は非接触式カード装着部（非接触式カード装着手段）１６を備えている。【００１９】  非接触式カード装着部１６はリストバンド１５の内側、または外側に設けたポケットであり、非接触式カード装着部上部１７に非接触式カード４０（図３参照）の挿入口を設け、非接触式カード装着部１６に非接触式カード４０を収納する。
また非接触式カード装着部上部１７の挿入口には、非接触式カード４０が抜け落ちない様に開閉自在な構造（図示しない）になっている。【００２０】  図２は本発明に係る非接触式カードを装着可能にした衣服（上着右前腕部）と非接触式自動改札機の実施形態の概略構成図である。
図２において、非接触式カードを装着可能にした衣服１０を着た利用者２２は利用交通機関の改札で、非接触式カード装着部１３を収納した上着右前腕部１２の非接触式カード装着部１３を非接触式自動改札機３０のアンテナ部３１に当接させるタッチアンドゴー方式で改札を通過する。【００２１】  この様に、非接触式カードを装着可能にした衣服は非接触式カードを上着右前腕部に装着したので、改札を入出する際に非接触式カードを衣服に装着したまま非接触式カードを非接触式自動改札機のアンテナ部にかざすか、または非接触式カードを非接触式自動改札機のアンテナ部に当接させるタッチアンドゴー方式で改札処理を行うことができ、改札を入出する際に非接触式カードを衣服に装着したまま改札処理を行うことができ、また非接触式カードを取出して手に持たなければならないという煩わしさを取除くことができ、さらに非接触式カードの紛失を防止することができる。
また、非接触式カードを装着可能にしたリストバンドも同様な効果を有する。【００２２】  図３は非接触式カードと非接触式自動改札機の実施形態の動作説明図である。
図３において、非接触式自動改札機３０はアンテナ３２と、送受信手段３３と、制御手段３４とからなり、非接触式カード４０は電源生成手段４１と、アンテナ４２と、受信手段４３と、送信手段４４と、記憶手段４５と、制御手段４６とからなる。【００２３】  非接触式自動改札機３０の制御手段３４は、マイクロコンピュータを備え、非接触式自動改札機３０の動作を制御する。
送受信手段３３はアンテナ３２を介して非接触式カード４０と電波によるデータの交信をし、制御手段３４は交信したデータに基づいて改札処理をする。【００２４】  非接触式カード４０の電源生成手段３１は非接触式自動改札機３０からの電波を受けて非接触式カード４０を駆動する電源を生成する。
アンテナ４２は非接触式カード４０と非接触式自動改札機３０との電波の送受信をする。
受信手段４３はアンテナ４２で受信した電波から信号を復調して記憶手段４５に出力し、記憶手段４５は入力された信号を記憶する。【００２５】  制御手段４６はＩＣ（Ｉｎｔｅｇｒａｔｅｄ  Ｃｉｒｃｕｉｔ）を備え、非接触式カード４０を制御する。
制御手段４６は受信した信号を記憶手段４５から読み出し、読み出したデータに基づいて改札処理を行う為に必要とするデータを生成して送信手段４４に出力する。
送信手段４４は入力されたデータを変調してアンテナ４２から非接触式自動改札機３０に送信する。
この様に、非接触式カードと非接触式自動改札機とで電波により信号の送受信をして改札処理を行う。【００２６】  なお、上記実施形態は本発明の一例であり、本発明は上記実施形態に限定されるものではない。
【発明の効果】
【００２７】  本発明に係る非接触式カードを装着可能にした衣服は、非接触式自動改札機と無線交信して改札処理を行う非接触式カードを衣服に着脱可能に装着したので、改札を入出する際に非接触式カードを衣服に装着したまま改札処理を行うことができ、また非接触式カードを取出して手に持たなければならないという煩わしさを取除くことができ、さらに非接触式カードの紛失を防止することができ、また非接触式カードを衣服から容易に着脱することができるという効果が得られる。
【００２８】  また、本発明に係る非接触式カードを装着可能にした衣服は、非接触式カードを上着右前腕部に装着したので、改札を入出する際に非接触式カードを衣服に装着したまま非接触式カードを非接触式自動改札機のアンテナ部にかざすか、または非接触式カードを非接触式自動改札機のアンテナ部に当接させるタッチアンドゴー方式で改札処理を行うことができ、改札を入出する際に非接触式カードを衣服に装着したまま改札処理を行うことができ、また非接触式カードを取出して手に持たなければならないという煩わしさを取除くことができ、さらに非接触式カードの紛失を防止することができるという効果が得られる。
【００２９】  さらに、本発明に係る非接触式カードを装着可能にしたリストバンドは、非接触式カードをリストバンドに装着したので、改札を入出する際に非接触式カードをリストバンドに装着したまま非接触式カードを非接触式自動改札機のアンテナ部にかざすか、または非接触式カードを非接触式自動改札機のアンテナ部に当接させるタッチアンドゴー方式で改札処理を行うことができ、改札を入出する際に非接触式カードを衣服に装着したまま改札処理を行うことができ、また非接触式カードを取出して手に持たなければならないという煩わしさを取除くことができ、さらに非接触式カードの紛失を防止することができるという効果が得られる。
【００３０】  よって、本発明は、利便性の高い非接触式カードを装着可能にした衣服又はリストバンドを提供することができる。
【図面の簡単な説明】
【図１】  本発明に係る非接触式カードを装着可能にした衣服（上着右前腕部）とリストバンドの実施形態の模式図
【図２】  本発明に係る非接触式カードを装着可能にした衣服（上着右前腕部）と非接触式自動改札機の実施形態の概略構成図
【図３】  非接触式カードと非接触式自動改札機の実施形態の動作説明図
【符号の説明】
１０…非接触式カードを装着可能にした衣服とリストバンド、１１…上着、１２…上着右前腕部、１３…非接触式カード装着部、１４…非接触式カード装着部上部、１５…非接触式カードを装着可能にしたリストバンド、１６…非接触式カード装着部、１７…非接触式カード装着部上部、２２…利用者、３０…非接触式自動改札機、３１…アンテナ部、３２，４２…アンテナ、３３…送受信手段、３４…制御手段、４０…非接触式カード、４１…電源生成手段、４３…受信手段、４４…送信手段、４５…記憶手段、４６…制御手段。
【図１】
2005200812.tif 000003
【図２】
2005200812.tif 000004
【図３】
2005200812.tif 000005